(57)【要約】【課題】写真等を保持する台板３の周囲を複数の分割フレーム６で囲み、この複数の分割フレーム６を連結して台板３を保持する構造のフォトフレームにおいて、通常の使用状態では分割フレーム６が簡単には分解することなく、必要時には分割フレーム６を容易に分解させることのできるフォトフレームを提供する。【解決手段】分割フレーム６と６の間に跨るように組み込まれ、両端側に設けられた係合部１２，１５が夫々分割フレーム６に係合して分割フレーム６と６を連結する結合部材７と、係合部１５の上に覆い被さるロック位置と係合部から離れたロック解除位置との間を移動可能に分割フレーム６に組み込まれるロック部材１８と、を備え、ロック部材１８がロック位置まで移動された状態では、係合部１５が分割フレーム６から外れないようにロック部材１８によって押さえ付けられる構造とする。さらに、ロック部材１８がロック解除位置まで移動された状態では、係合部１５が復元力によって分割フレーム６から外れる構造とする。【選択図】図６
2007301100.tif 000002
【特許請求の範囲】
【請求項１】
写真等を保持する台板の周囲を複数の分割フレームで囲み、この複数の分割フレームを連結して上記台板を保持する構造のフォトフレームにおいて、
上記複数の分割フレーム間に跨るように組み込まれ、両端側に設けられた係合部が上記分割フレームに係合して上記分割フレームを連結する結合部材と、
上記係合部の上に覆い被さるロック位置と上記係合部から離れたロック解除位置との間を移動可能に上記分割フレームに組み込まれるロック部材と、を備え、
上記ロック部材が上記ロック位置まで移動された状態では、上記係合部が上記分割フレームから外れないように上記ロック部材によって押さえ付けられる構造としたことを特徴とするフォトフレーム。
【請求項２】
上記ロック部材が上記ロック解除位置まで移動された状態では、上記係合部が復元力によって上記分割フレームから外れる構造としたことを特徴とする請求項１に記載のフォトフレーム。
【発明の詳細な説明】
【技術分野】
【０００１】
本発明は、写真等を飾るためのフォトフレームに関する。
【背景技術】
【０００２】
図１に一般的なフォトフレームの構成を示す。
このフォトフレーム１は、写真等２を保持する台板３の周囲を四辺の分割フレーム６で囲み、この四辺の分割フレーム６を一体的に連結して台板３を保持する構造となっている。
一般このようなフォトフレームにおいては、分割フレームの連結手段として螺子が用いられていたが、この螺子による連結手段では、螺子止め作業に手間を要し、フレームの組み立てが面倒であるという欠点があった。
【０００３】
そこで従来、この組み立て性を向上させたフォトフレームとして、例えば下記の特許文献１のように、分割フレーム間に組み込まれる結合部材によって四辺の分割フレームを連結するようにしたフォトフレームが提案されている。即ちこの特許文献１に開示されるフォトフレームは、分割フレーム間に跨るように組み込まれる結合部材を備え、この結合部材の両端側に設けられた係合部が分割フレームに係合して分割フレーム同士を連結する構造となっている。
【特許文献１】特開２００４−１９４７５３号公報
【発明の開示】
【発明が解決しようとする課題】
【０００４】
しかしながら、このような従来のフォトフレームでは、強い衝撃が加わった場合等に、結合部材の係合部が不意に分割フレームから外れ、分割フレームが分解してしまうおそれがある。
また一方で、写真等を取り換える際には、結合部材の係合部を分割フレームから外して分割フレームを分解する作業が必要となるが、係合部を分割フレームから外す作業を手で行うことは非常に煩雑であるという問題があった。
【０００５】
本発明は斯かる点に鑑みてなされたもので、通常の使用状態では分割フレームが簡単には分解することなく、必要時には分割フレームを容易に分解させることのできるフォトフレームを提供することを目的とする。
【課題を解決するための手段】
【０００６】
上記の目的を達成するため本発明は、
写真等を保持する台板の周囲を複数の分割フレームで囲み、この複数の分割フレームを連結して台板を保持する構造のフォトフレームにおいて、
複数の分割フレーム間に跨るように組み込まれ、両端側に設けられた係合部が分割フレームに係合して分割フレームを連結する結合部材と、
係合部の上に覆い被さるロック位置と係合部から離れたロック解除位置との間を移動可能に分割フレームに組み込まれるロック部材と、を備え、
ロック部材がロック位置まで移動された状態では、係合部が分割フレームから外れないようにロック部材によって押さえ付けられる構造としたものである。
【０００７】
さらに本発明は、ロック部材がロック解除位置まで移動された状態では、係合部が復元力によって分割フレームから外れる構造としたものである。
【発明の効果】
【０００８】
上記の如く構成される本発明のフォトフレームは、ロック部材がロック位置まで移動された状態で、係合部が分割フレームから外れないようにロック部材によって押さえ付けられる構造としたことにより、強い衝撃が加わった場合等でも係合部と分割フレームの係合状態が確実に維持されるので、通常の使用状態において分割フレームが分解してしまうおそれはない。
【０００９】
さらに本発明のフォトフレームは、ロック部材がロック解除位置まで移動された状態で、係合部が復元力によって分割フレームから外れる構造としたことにより、係合部と分割フレームの係合状態をロック部材の移動操作だけで簡単に解除することができるので、必要時には分割フレームを容易に分解させることができる。
【発明を実施するための最良の形態】
【００１０】
以下、図面を参照しながら本発明の実施例について詳細に説明する。
図１は、本発明が適用されるフォトフレームの斜視図である。ここで示す如く本例のフォトフレーム１は、写真等２を保持する台板３の周囲を四辺の分割フレーム６で囲み、この四辺の分割フレーム６を一体的に連結して台板３を保持する構造となっている。
【００１１】
台板３は図５に示す如く表板４と裏板５とによりなり、この表板４と裏板５の間に写真等２を挟み込んで保持するものである。この台板３は厚紙材によりなり、この台板３に保持された写真等２は表板４に形成された開口窓部４ａから前面に表出されて見えるようになっている。
【００１２】
分割フレーム６は樹脂製の成形品であって、この分割フレーム６に形成された保持溝部６ａに表板４と裏板５の端縁部が挿入される状態で台板３が保持されるものである。
【００１３】
図２は、本例のフォトフレーム１を裏側から見た平面図である。なお、ここではフォトフレーム１の上部の構成のみを図示してあるが、下部もこれと同様の構成を有するものである。
【００１４】
ここで示す如く本例のフォトフレーム１においては、四辺の分割フレーム６の間のコーナー連結手段として結合部材７が用いられている。この構成において結合部材７は、普通の結合部材とロック対応型の結合部材の二種類がある。図２において右端側の結合部材７が普通の結合部材、左端側の結合部材７がロック対応型の結合部材である。なお、図２では表れていないフォトフレームの下側は、これと逆の構成となっている。
【００１５】
図３は普通の結合部材による分割フレームの連結部分の分解図、図４はロック対応型の結合部材による分割フレームの連結部分の分解図である。何れにおいても結合部材７は、全体としてＬ字形に屈曲された板状の樹脂成形品によりなり、この結合部材７を分割フレーム６と６の間に跨るように組み込んで連結する構造となっている。この構成において分割フレーム６はその長手方向に沿って凹溝６ｂを有する形状に形成されており、この凹溝６ｂに収まる状態で分割フレーム６と６の間に結合部材７が挿入される。
【００１６】
結合部材７にはその側縁に沿って鍔部８ａ，８ｂが延設されており、図５に示す如くこの鍔部８ａ，８ｂが分割フレーム６の凹溝６ｂの内側面に形成された対向溝部９ａ，９ｂに係合する状態で結合部材７が挿入される。
【００１７】
図３に示すように、普通の結合部材７は、その両端側に平行の切り込み１０ａ，１０ｂが形成され、その間の部分が可撓片部１１となされており、この可撓片部１１の裏面側に係合突起１２が設けられている。そして結合部材７が分割フレーム６に挿入された状態では、この係合突起１２が分割フレームに形成された固定穴１３に係合し(図５参照)、これによって分割フレーム６と６の間で結合部材７がしっかりと固定されて、分割フレーム６と６が高精度で確実に連結される。
【００１８】
一方、ロック対応型の結合部材７は、図４に示す如く、一端側に平行の切り込み１０ａ，１０ｂが形成され、その間の部分が可撓片部１１となされており、この可撓片部１１の裏面側に係合突起１２が設けられていると共に、他端側からは舌片状の可撓片１４が突出形成され、その先端部の裏面側に係合突起１５が設けられている。そして結合部材７が分割フレーム６に挿入された状態では、これらの係合突起１２，１５が夫々分割フレーム６に形成された固定穴１３，１６に係合し、これによって分割フレーム６と６の間で結合部材７がしっかりと固定されて、分割フレーム６と６が高精度で確実に連結される。
【００１９】
本例の構成では、このロック対応型の結合部材７における可撓片１４と係合突起１５の部分が特許請求の範囲でいう係合部に相当する。そして本例のフォトフレームでは図６に示す如く、この係合部に対応してロック部材１８が分割フレーム６に組み込まれている。
【００２０】
このロック部材１８は、結合部材７と同じ樹脂成形品であって、結合部材７と同様に、側縁に沿って設けられた鍔部１９ａ，１９ｂが分割フレーム６の対向溝部９ａ，９ｂに係合する状態で組み込まれるものである。ここでロック部材１８は、可撓片１４の上に覆い被さるロック位置と、可撓片１４から離れたロック解除位置との間を移動(スライド)可能とされている。
【００２１】
図７は、ロック部材１８がロック解除位置にある状態を示す。この状態では、結合部材７の可撓片１４は先端が浮き上がり、このため係合突起１５が固定穴１６から外れた状態にある。そしてこの状態からロック部材１８を図８に示すロック位置まで移動操作すると、結合部材７の可撓片１４はロック部材１８で押圧されるように撓み、これによって係合突起１５が固定穴１６に係合する。このロック部材１８の移動動作においては、ロック部材１８に設けられたガイドリブ２０の傾斜縁２０ａが可撓片１４を徐々に押圧するように撓ませることで、スムーズに係合突起１５が固定穴１６に係合される。
【００２２】
そしてこの図８のようにロック部材１８がロック位置まで移動された状態では、ロック部材１８に設けられた押さえリブ２１が結合部材７の可撓片１４を押さえ付ける状態となり、このため係合突起１５は固定穴１６から外れることなく固定穴１６との係合状態が確実に維持される。またこの状態では、ロック部材１８の押さえリブ２１が可撓片１４の先端部に設けられた小突起２２に係合し、これによってロック部材１８は軽固定され、多少の振動が加わった程度では動かないので、係合突起１５と固定穴１６の係合状態がより確実に維持されることになる。
【００２３】
以上のように本例の構成では、ロック部材１８がロック位置まで移動された状態で、係合突起１５が固定穴１６から外れないようにロック部材１８によって可撓片１４が押さえ付けられる構造としたことにより、強い衝撃が加わった場合等でも係合突起１４と固定穴１５の係合状態が確実に維持されるので、通常の使用状態において分割フレーム６が分解してしまうおそれはない。
【００２４】
さらにこの構成において、ロック部材１８を図８のロック位置から図７のロック解除位置まで移動操作すると、結合部材７の可撓片１４はロック部材１８による押さえ付けが解除されるので、自らの復元力によって先端が浮き上がる形状に戻り、これによって係合突起１５が固定穴１６から外れる状態となる。
【００２５】
このように本例の構成では、ロック部材１８がロック解除位置まで移動された状態で、可撓片１４の復元力によって係合突起１５が固定穴１６から外れる構造としたことにより、係合突起１５と固定穴１６の係合状態をロック部材１８の移動操作だけで簡単に解除することができるので、必要時には分割フレーム６を容易に分解させることができる。
【００２６】
続いて、本例のフォトフレームに備えられる吊り具の構成について説明する。
即ち、図２に示すように本例のフォトフレーム１では、分割フレーム６の所定の位置(この例では上辺の分割フレーム６の中央部)に、このフォトフレームを吊り下げるための吊り具２５が取り付けられている。
【００２７】
この吊り具２５は、分割フレーム６に組み込まれる基台部２６と、この基台部２６からフォトフレーム１の内側に向かって延びるＴ字アーム部２７と、と一体に有して構成されており、Ｔ字アーム部２７の左右に形成された穴２８ａ，２８ｂに紐を通し、この紐でフォトフレーム１を吊り下げるようにして使用するものである。なお、この吊り具２５もまた、分割フレーム６や結合部材７と同様の樹脂成形品である。
【００２８】
図９に示す如くこの吊り具２５は、結合部材７と同様に、基台部２６の側縁に沿って設けられた鍔部２９ａ，２９ｂが分割フレーム６の対向溝部９ａ，９ｂに係合する状態で組み込まれる。また基台部２６にはコ字形の切り込み３０が形成され、その間の部分が可撓片部３１となされており、この可撓片部３１の裏面側に係合突起３２が設けられている。そしてこの係合突起３２が分割フレーム６に設けられた固定穴３３に係合することにより、吊り具２５は所定の位置で固定される構造となっている。
【００２９】
上記構成に加えてさらにこの吊り具２５では、Ｔ字アーム部２７の左右に係合片３４ａ，３４ｂを有し、この係合片３４ａ，３４ｂが分割フレーム６の内側に沿って形成された突縁部３５に係合している。このように本例の吊り具２５は、分割フレーム６に対し基台部２６とＴ字アーム部２７とで二重に係合する構造を有しており、これによってフォトフレーム１を吊り下げたときの荷重が効果的に分散されるので、吊り具２５と分割フレーム６との間に無理な負担が加わることなくフォトフレーム１を安定して吊り下げることができるものである。
【００３０】
以上、本発明の実施例について説明したが、本発明はこの実施例の構成に限ることなく他にも種々の実施形態を採り得るものであることは言うまでもない。
【図面の簡単な説明】
【００３１】
【図１】本発明が適用されるフォトフレームの斜視図である。
【図２】フォトフレームの上部を裏側から見た平面図である。
【図３】結合部材による分割フレームの連結部分の分解平面図である。
【図４】ロック対応型の結合部材による分割フレームの連結部分の分解平面図である。
【図５】ロック対応型の結合部材による分割フレームの連結構造を示す平面図である。
【図６】図２のＡ−Ａ線断面図である。
【図７】図６のＢ−Ｂ線断面図である。
【図８】図２のＣ−Ｃ線断面図である。
【図９】図２のＤ−Ｄ線断面図である。
【符号の説明】
【００３２】
１…フォトフレーム、２…写真等、３…台板、６…分割フレーム、７…結合部材、１１…可撓片部、１２…係合突起、１３…固定穴、１４…可撓片、１５…係合突起、１６…固定穴、１８…ロック部材
【図１】
2007301100.tif 000003
【図２】
2007301100.tif 000004
【図３】
2007301100.tif 000005
【図４】
2007301100.tif 000006
【図５】
2007301100.tif 000007
【図６】
2007301100.tif 000008
【図７】
2007301100.tif 000009
【図８】
2007301100.tif 000010
【図９】
2007301100.tif 000011